(57)【要約】【課題】室内の快適性を損なうことなく消費エネルギーを低減した空気調和換気システムを得ること。【解決手段】室内の空気調和を行う空気調和装置１と、室内空気と外気との換気を行う給気用換気装置２と、室内空気の温湿度を検出する温湿度センサと、外気の温湿度を検出する温湿度センサと、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置１及び給気用換気装置２を制御する制御装置１２とを有する。【選択図】図１
2019002653.tif 000002
【特許請求の範囲】
【請求項１】
室内の空気調和を行う空気調和装置と、
室内空気と外気との換気を行う換気装置と、
室内空気の温湿度を検出する第１の検出手段と、
外気の温湿度を検出する第２の検出手段と、
前記室内空気の温湿度の検出結果に基づいて前記室内空気のエンタルピーを算出し、前記外気の温湿度の検出結果に基づいて前記外気のエンタルピーを算出し、前記室内空気のエンタルピー及び前記外気のエンタルピーとの比較結果に基づいて、前記空気調和装置及び前記換気装置を制御する制御装置とを有することを特徴とする空気調和換気システム。
【請求項２】
前記制御装置は、前記空気調和装置が冷房運転中、前記室内空気のエンタルピーよりも前記外気のエンタルピーの方が低い場合に、前記空気調和装置を冷房運転から送風運転に切り替え、前記換気装置を稼働させることを特徴とする請求項１に記載の空気調和換気システム。
【請求項３】
前記制御装置は、前記空気調和装置が冷房運転中、前記室内空気のエンタルピーを基準とする前記外気のエンタルピーの割合が、規定の範囲内である場合に、前記空気調和装置を冷房運転から送風運転に切り替え、前記換気装置を稼働させることを特徴とする請求項１に記載の空気調和換気システム。
【請求項４】
前記換気装置は、屋外から室内に前記外気を取り込む給気用換気装置であり、
前記第２の検出手段は、前記給気用換気装置の内部に設けられていることを特徴とする請求項１から３のいずれか１項に記載の空気調和換気システム。
【請求項５】
前記第２の検出手段は、前記制御装置の内部に設けられており、前記外気の温湿度の情報を、コンピュータネットワークを通じて外部装置から取得することを特徴とする請求項１から３のいずれか１項に記載の空気調和換気システム。
【発明の詳細な説明】
【技術分野】
【０００１】
本発明は、室内の空調を空気調和装置と換気装置との連動により行う空気調和換気システムに関する。
【背景技術】
【０００２】
夏期には、夜間でも気温が下がらない熱帯夜となることがある。就寝する時点で気温が下がっていない場合、空気調和装置のユーザは、空気調和装置を冷房運転で稼働させ、タイマ機能を活用して就寝することがある。ユーザは、空気調和機が稼働している間は快適な環境で睡眠を取ることができるが、タイマ機能により空気調和装置が停止すると、室温が上昇し、寝苦しくなることがある。タイマ機能で空気調和装置が停止したあとで、ユーザは一旦起きて空気調和装置を冷房運転で再稼働させたり、窓を開けて再度就寝することもあるが、いずれにしても睡眠の妨げとなる。
【０００３】
また、外気温が低い場合でも、防犯上の理由から窓を開けて寝ることができなかったり、窓を開けると屋外の微小な粉塵、排気ガス又は虫といった汚染原因物質が室内に流入し、空気の状態が悪化することも考えられる。
【０００４】
さらに、空気調和装置のタイマ機能を活用せずに、一晩中冷房運転を行うと、室温が下がっているにも関わらず冷房運転が継続され、室温が下がりすぎて無駄にエネルギーを消費することになる。
【０００５】
特許文献１には、冷房運転中に操作者が設定する設定温度よりも外気温の方が一定値以上低い場合に、空気調和機を停止し、換気装置のみ可動させるシステムが開示されている。
【先行技術文献】
【特許文献】
【０００６】
【特許文献１】特開２０１０−１１７０８４号公報
【発明の概要】
【発明が解決しようとする課題】
【０００７】
しかしながら、特許文献１に開示される発明は、単純に温度の比較しかしておらず、空気中の湿度によるエネルギーを考慮していない。設定温度よりも外気温度の方が低くても、湿度が高ければ空気のエネルギーを示すエンタルピーは、外気の方が高い場合もありうる。したがって、特許文献１に開示される発明のように、温度の比較だけを行い、外気温が設定温度よりも一定値以上低い場合に空気調和装置を停止して換気装置のみを稼働させると、室内の湿度が上昇して不快指数が増大する可能性がある。
【０００８】
本発明は、上記に鑑みてなされたものであって、室内の快適性を損なうことなく消費エネルギーを低減した空気調和換気システムを得ることを目的とする。
【課題を解決するための手段】
【０００９】
上述した課題を解決し、目的を達成するために、本発明は、室内の空気調和を行う空気調和装置と、室内空気と外気との換気を行う換気装置と、室内空気の温湿度を検出する第１の検出手段と、外気の温湿度を検出する第２の検出手段とを有する。本発明は、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御する制御装置を有する。
【発明の効果】
【００１０】
本発明によれば、室内の快適性を損なうことなく消費エネルギーを低減した空気調和換気システムを得られるという効果を奏する。
【図面の簡単な説明】
【００１１】
【図１】本発明の実施の形態１に係る空気調和換気システムの構成を示す平面図
【図２】実施の形態１に係る空気調和換気システムのシステム構成図
【図３】実施の形態１に係る空気調和換気システムによる連携動作の流れを示すフローチャート
【図４】本発明の実施の形態２に係る空気調和換気システムの構成を示す図
【図５】実施の形態２に係る空気調和換気システムによる連係動作の流れを示すフローチャート
【図６】実施の形態３に係る空気調和換気システムによる連携動作の流れを示すフローチャート
【図７】実施の形態１、実施の形態２又は実施の形態３に係る空気調和換気システムの制御装置の機能をハードウェアで実現した構成を示す図
【図８】実施の形態１、実施の形態２又は実施の形態３に係る空気調和換気システムの制御装置の機能をソフトウェアで実現した構成を示す図
【発明を実施するための形態】
【００１２】
以下に、本発明の実施の形態に係る空気調和換気システムを図面に基づいて詳細に説明する。なお、この実施の形態によりこの発明が限定されるものではない。
【００１３】
実施の形態１．
図１は、本発明の実施の形態１に係る空気調和換気システムの構成を示す平面図である。空気調和換気システムとは、室内の空気調和を行う空気調和装置と、室内空気と外気との換気を行う換気装置とを連動させて、室内の空気調和及び換気を行うシステムである。図１中の矢印は、実施の形態１に係る空気調和換気システムが換気を行う際の空気の流れを示している。実施の形態１において、空気調和換気システム５０は、給気用換気装置２、排気用換気装置６及びレンジフードファン９の三つの換気装置を備えている。実施の形態１に係る空気調和換気システム５０は、居室Ｒの壁又は天井に設置された空気調和装置１と、居室Ｒの天井裏に設置された給気用換気装置２と、サニタリーゾーンＳに設置された排気用換気装置６と台所Ｋに設置されたレンジフードファン９とを連動させて室内の空気調和及び換気を行う。サニタリーゾーンＳとは、トイレ、浴室及び洗面所といった衛生のための設備を持つスペースを意味する。なお、台所ＫはサニタリーゾーンＳには含まれない。
【００１４】
建屋の外壁には屋外給気口３が設置されている。外気は、屋外給気口３からダクト１６ａ，１６ｂ及び空気清浄装置４を介して給気用換気装置２に取り込まれる。空気清浄装置４を通過した外気を給気用換気装置２に取り込むことで、外気中に含まれる微小な粉塵、窒素酸化物及び虫といった汚染原因物質は、給気用換気装置２に取り込まれる前に除去される。給気用換気装置２からダクト１６ｃに送り出された外気は、居室Ｒの天井に設置された室内吹出口５から居室Ｒに供給される。
【００１５】
室内吹出口５から居室Ｒに外気が供給されると、居室Ｒは正圧状態となり、室内空気は、居室Ｒと廊下Ｈとの間に設置されたドア１７のアンダーカット又はガラリを通過して、排気用換気装置６が設置されているサニタリーゾーンＳへ流れ込む。廊下Ｈに設置された室内吸込口７及びダクト１６ｄを介して排気用換気装置６に吸い込まれた空気は、建屋の外壁に設置されている屋外排気口８にダクト１６ｅを介して送られ、屋外に排気される。なお、室内吸込口７は、台所Ｋ又はサニタリーゾーンＳに設置される場合もある。
【００１６】
レンジフードファン９は、運転を開始すると台所Ｋの空気を吸い込んでダクト１６ｆへ送り込み、建屋の屋外に設置されたレンジフード用屋外排気口１０から屋外に排気する。なお、台所Ｋが負圧となって不足する空気は、建屋の外壁に設置されたレンジフード用屋外給気口１１からダクト１６ｇを通じて台所Ｋに流入する。
【００１７】
図２は、実施の形態１に係る空気調和換気システムのシステム構成図である。空気調和装置１、給気用換気装置２、排気用換気装置６及びレンジフードファン９の各々が制御装置１２と有線又は無線で通信し、かつ制御装置１２と操作表示端末１３とが無線で通信することで、室内、又は外出先でも各機器の動作状態の確認及び操作を行うことができる。
【００１８】
空気調和装置１は、居室Ｒ内の空気である室内空気の温度及び湿度を検出する第１の検出手段である温湿度センサ１４を備えている。温湿度センサ１４は、空気調和装置１の内部の風路上に設置されている。給気用換気装置２は、外気の温度及び湿度を検出する第２の検出手段である温湿度センサ１５を備えている。温湿度センサ１５は、給気用換気装置２の内部の風路上に設置されている。
【００１９】
制御装置１２は、空気調和装置１、給気用換気装置２、排気用換気装置６及びレンジフードファン９の連携を制御する連携制御部１２１と、温湿度センサ１４，１５が検出した温湿度からエンタルピーを算出するエンタルピー算出部１２２とを備えている。また、制御装置１２は、空気調和装置１、給気用換気装置２、排気用換気装置６、レンジフードファン９及び操作表示端末１３と通信部１２９を介して接続されている。
【００２０】
実施の形態１に係る空気調和換気システム５０の動作について説明する。図３は、実施の形態１に係る空気調和換気システムによる連携動作の流れを示すフローチャートである。ステップＳ１において、連携制御部１２１は、空気調和装置１に、冷房運転を行わせる。ステップＳ２において、連携制御部１２１は、空気調和装置１と換気装置との連携機能が有効になっているか否かを判断する。空気調和装置１と換気装置との連携機能を有効にするか無効にするかを設定する操作は、操作表示端末１３を用いて行われる。連携機能が無効になっていれば、ステップＳ２でＮｏとなり、ステップＳ１に戻る。連携機能が有効になっていれば、ステップＳ２でＹｅｓとなり、ステップＳ３に進む。ステップＳ３において、エンタルピー算出部１２２は、温湿度センサ１５によって検出された外気の温湿度に基づいて、外気のエンタルピーを算出する。
【００２１】
外気のエンタルピーを算出する際に給気用換気装置２が停止している場合、連携制御部１２１は、外気の温湿度を検出するために、給気用換気装置２を一時的に駆動させて屋外給気口３から少量の外気を吸い込み、室内吹出口５から居室Ｒへ供給する。なお、外気のエンタルピーを算出する際に、排気用換気装置６又はレンジフードファン９が運転している場合は、室内が負圧となって給気用換気装置２に外気が流入するため、給気用換気装置２が停止していても、温湿度センサ１５は、外気の温湿度を検出可能である。
【００２２】
ステップＳ４において、エンタルピー算出部１２２は、温湿度センサ１４によって検出された室内空気の温湿度に基づいて、室内空気のエンタルピーを算出する。ステップＳ５において、連携制御部１２１は、室内空気のエンタルピーよりも外気のエンタルピーの方が低いか否かを判断する。外気のエンタルピーが室内空気のエンタルピー以上である場合は、ステップＳ５でＮｏとなり、ステップＳ１に戻って連携制御部１２１は、空気調和装置１に冷房運転を継続させる。室内空気のエンタルピーよりも外気のエンタルピーの方が低い場合は、ステップＳ５でＹｅｓとなり、ステップＳ６に進む。
【００２３】
ステップＳ６において、連携制御部１２１は、空気調和装置１に送風運転を行わせる。また、連携制御部１２１は、給気用換気装置２及び排気用換気装置６を運転し、外気を居室Ｒに取り入れるとともに、室内空気を屋外に排気する。
【００２４】
上記の説明では、制御装置１２は、排気用換気装置６を稼働させて室内空気を屋外に排気しているが、レンジフードファン９を稼働させて室内空気を屋外に排出することも可能である。レンジフードファン９を稼働させる場合は、室内に供給される空気は、給気用換気装置２からの供給が主となり、不足する分のみレンジフード用屋外給気口１１から取り込まれる。さらに、給気用換気装置２の風量とバランスがとれるように、排気用換気装置６とレンジフードファン９とを同時に運転することも可能であり、空気調和装置１をどの機器と連動させるかは、予め制御装置１２にて設定可能である。
【００２５】
ステップＳ７において、連携制御部１２１は、設定温度よりも室温の方が低いか否かを判断する。ここでの設定温度とは、居室Ｒにいる者が不快と感じる温度であり、一例を挙げると２８℃であるが、これに限定はされない。室温が設定温度以上になっている場合、ステップＳ７でＮｏとなり、ステップＳ１に戻って、連携制御部１２１は空気調和装置１に冷房運転を行わせる。設定温度よりも室温の方が低い場合、ステップＳ７でＹｅｓとなり、ステップＳ８に進む。
【００２６】
ステップＳ８において、連携制御部１２１は、ステップＳ６で空気調和装置１の送風運転と給気用換気装置２及び排気用換気装置６の運転とを開始してから規定時間が経過したか否かを判断する。規定時間は、一例を挙げると３０分であるが、これに限定はされない。規定時間が経過していなければ、ステップＳ８でＮｏとなり、ステップＳ７に戻る。規定時間が経過していれば、ステップＳ８でＹｅｓとなり、ステップＳ２に戻って、連携制御部１２１は、上記の処理を繰り返す。
【００２７】
実施の形態１に係る空気調和換気システム５０は、室内空気のエンタルピーと外気のエンタルピーとを比較し、外気のエンタルピーの方が低い場合にのみ、空気調和装置１の冷房運転を停止して送風運転に切替え、給気用換気装置２から外気を取り入れる。したがって、実施の形態１に係る空気調和換気システム５０は、室内の温熱環境を快適な状態に保つことができる。さらに、実施の形態１に係る空気調和換気システム５０は、外気のエンタルピーの方が小さいにも関わらず、空気調和装置１が冷房運転を継続して無駄にエネルギーを消費することを回避することが可能であり、ユーザは朝まで良質の睡眠をとりやすくなる。また、実施の形態１に係る空気調和換気システム５０は、屋外から取り入れる空気は空気清浄装置４を通過することで新鮮な空気となるため、睡眠中の虫刺されといった睡眠を妨げる要素を排除することができる。
【００２８】
上記の説明において、室内空気の温湿度を検出する第１の検出手段である温湿度センサ１４は、空気調和装置１に組み込まれていたが、第１の検出手段は、独立した機器であってもよい。同様に、外気の温湿度を検出する第２の検出手段である温湿度センサ１５は、給気用換気装置２に組み込まれていたが、第２の検出手段は、独立した機器であってもよい。
【００２９】
実施の形態１に係る空気調和換気５０は、室内の快適性を損なうことなく、消費エネルギーの低減を図ることができる。
【００３０】
実施の形態２．
図４は、本発明の実施の形態２に係る空気調和換気システムの構成を示す図である。実施の形態２に係る空気調和換気システム５０は、給気用換気装置２が温湿度センサ１５を有していない点で実施の形態１と相違する。制御装置１２は、コンピュータネットワークを通じて現在位置の温湿度の情報を含む気象情報を外部装置から取得する気象情報取得部１２３を備えている。コンピュータネットワークには、インターネットを例示できるが、これに限定はされない。実施の形態２に係る空気調和換気システム５０において、制御装置１２の内部に設けられた気象情報取得部１２３は、外気の温湿度を検出する第２の検出手段である。この他は、実施の形態１に係る空気調和換気システム５０と同様である。
【００３１】
図５は、実施の形態２に係る空気調和換気システムによる連係動作の流れを示すフローチャートである。ステップＳ１及びステップＳ２は、実施の形態１と同様である。ただし、実施の形態２では、ステップＳ２において、空気調和装置１と給気用換気装置２、排気用換気装置６及びレンジフードファン９との連携が有効に設定されている場合は、ステップＳ９に進む。空気調和装置１と給気用換気装置２、排気用換気装置６及びレンジフードファン９との連携が有効に設定されていない場合は、ステップＳ１に戻る。
【００３２】
ステップＳ９において、エンタルピー算出部１２２は、コンピュータネットワークを通じて現在位置の温湿度の情報を含む気象情報を外部装置から取得し、現在位置の温湿度の情報に基づいて外気のエンタルピーを算出する。ステップＳ４以降の処理は、実施の形態１と同様である。
【００３３】
実施の形態２に係る空気調和換気システム５０は、室内の快適性を損なうことなく、消費エネルギーの低減を図ることができる。また、実施の形態２に係る空気調和換気システム５０は、温湿度検出機能を備えない換気装置を用いてシステムを構築できるため、システムを構築するコストを低減できる。
【００３４】
実施の形態３．
本発明の実施の形態３に係る空気調和換気システムの構成は、実施の形態１と同様である。ただし、空気調和装置１と、給気用換気装置２、排気用換気装置６及びレンジフードファン９との連携動作が実施の形態１とは相違する。実施の形態３に係る空気調和換気システム５０は、外気のエンタルピーが室内空気のエンタルピーに対してどの程度であるかに基づいて各機器の運転状態を決定する。
【００３５】
図６は、実施の形態３に係る空気調和換気システムによる連携動作の流れを示すフローチャートである。ステップＳ１からステップＳ４の動作は実施の形態１と同様である。ステップＳ１０において、連携制御部１２１は、室内空気のエンタルピーを基準とする外気のエンタルピーの割合が、規定の範囲内であるか否を判定する。具体的には、連携制御部１２１は、外気のエンタルピーが室内空気のエンタルピーのＡ％以上かつＢ％以下であるか否かを判定する。なお、ここでのＡ％及びＢ％は、予め規定されて制御装置１２に記憶されている値である。一例を挙げると、室内空気のエンタルピーを基準とする外気のエンタルピーの割合の規定の範囲は５％以上１０％以下であるが、この範囲に限定されない。外気のエンタルピーが室内空気のエンタルピーのＡ％以上かつＢ％以下でなければ、ステップＳ１０でＮｏとなり、ステップＳ１に戻って連携制御部１２１は空気調和装置１に冷房運転を継続させる。外気のエンタルピーが室内空気のエンタルピーのＡ％以上かつＢ％以下であれば、ステップＳ１０でＹｅｓとなり、ステップＳ６に進む。
【００３６】
ステップＳ６は、実施の形態１と同様である。ステップＳ６の後、ステップＳ２へ戻り連携制御部１２１は、空気調和装置１と給気用換気装置２、排気用換気装置６及びレンジフードファン９との連携を継続する。
【００３７】
以上の説明では、給気用換気装置２に搭載された温湿度センサ１５が外気の温湿度を検出する第２の検出手段であったが、実施の形態２と同様に、温湿度の情報を含む気象情報をコンピュータネットワークから取得する気象情報取得部１２３が第２の検出手段であってもよい。
【００３８】
実施の形態３に係る空気調和換気システム５０は、外気のエンタルピーが低すぎる場合、外気を取り入れないため、涼し過ぎる空気を取り入れ風邪をひくなどの不具合を回避することができる。また、実施の形態３に係る空気調和換気システム５０は、空気調和装置１が冷房運転中に設定温度よりも室温が低い状態であれば、空気調和装置１を送風運転に切替えるため、室温が下がり過ぎることはない。このような連携制御により、室内環境を快適に保ちつつ、消費エネルギーを低減することが可能となる。
【００３９】
上記の実施の形態１、実施の形態２又は実施の形態３の空気調和換気システム５０の制御装置１２の機能は、処理回路により実現される。すなわち、制御装置１２は、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御する処理、又は空気調和装置が冷房運転中、室内空気のエンタルピーを基準とする外気のエンタルピーの割合が、規定の範囲内である場合に、空気調和装置を冷房運転から送風運転に切り替え、換気装置を稼働させる処理を行う処理回路を備える。また、処理回路は、専用のハードウェアであっても、記憶装置に格納されるプログラムを実行する演算装置であってもよい。
【００４０】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図７は、実施の形態１、実施の形態２又は実施の形態３に係る空気調和換気システムの制御装置の機能をハードウェアで実現した構成を示す図である。処理回路１９には、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御する処理、又は空気調和装置が冷房運転中、室内空気のエンタルピーを基準とする外気のエンタルピーの割合が、規定の範囲内である場合に、空気調和装置を冷房運転から送風運転に切り替え、換気装置を稼働させる処理を実現する論理回路１９ａが組み込まれている。
【００４１】
処理回路１９が演算装置の場合、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御する処理、又は空気調和装置が冷房運転中、室内空気のエンタルピーを基準とする外気のエンタルピーの割合が、規定の範囲内である場合に、空気調和装置を冷房運転から送風運転に切り替え、換気装置を稼働させる処理は、ソフトウェア、ファームウェア、又はソフトウェアとファームウェアとの組み合わせにより実現される。
【００４２】
図８は、実施の形態１、実施の形態２又は実施の形態３に係る空気調和換気システムの制御装置の機能をソフトウェアで実現した構成を示す図である。処理回路１９は、プログラム１９ｂを実行する演算装置１９１と、演算装置１９１がワークエリアに用いるランダムアクセスメモリ１９２と、プログラム１９ｂを記憶する記憶装置１９３を有する。記憶装置１９３に記憶されているプログラム１９ｂを演算装置１９１がランダムアクセスメモリ１９２上に展開し、実行することにより、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御する処理、又は空気調和装置が冷房運転中、室内空気のエンタルピーを基準とする外気のエンタルピーの割合が、規定の範囲内である場合に、空気調和装置を冷房運転から送風運転に切り替え、換気装置を稼働させる処理が実現される。ソフトウェア又はファームウェアはプログラム言語で記述され、記憶装置１９３に格納される。演算装置１９１は、中央演算処理装置を例示できるがこれに限定はされない。
【００４３】
処理回路１９は、記憶装置１９３に記憶されたプログラム１９ｂを読み出して実行することにより、各処理を実現する。すなわち、実施の形態１、実施の形態２又は実施の形態３に係る空気調和換気システム５０の制御装置１２は、処理回路１９により実行されるときに、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御するステップ、又は空気調和装置が冷房運転中、室内空気のエンタルピーを基準とする外気のエンタルピーの割合が、規定の範囲内である場合に、空気調和装置を冷房運転から送風運転に切り替え、換気装置を稼働させるステップが結果的に実行されることになるプログラム１９ｂを記憶するための記憶装置１９３を備える。また、プログラム１９ｂは、上記の手順及び方法をコンピュータに実行させるものであるとも言える。
【００４４】
なお、室内空気の温湿度の検出結果に基づいて室内空気のエンタルピーを算出し、外気の温湿度の検出結果に基づいて外気のエンタルピーを算出し、室内空気のエンタルピー及び外気のエンタルピーとの比較結果に基づいて、空気調和装置及び換気装置を制御する処理、又は空気調和装置が冷房運転中、室内空気のエンタルピーを基準とする外気のエンタルピーの割合が、規定の範囲内である場合に、空気調和装置を冷房運転から送風運転に切り替え、換気装置を稼働させる処理について、一部を専用のハードウェアで実現し、一部をソフトウェア又はファームウェアで実現するようにしてもよい。
【００４５】
このように、処理回路１９は、ハードウェア、ソフトウェア、ファームウェア、又はこれらの組み合わせによって、上述の各機能を実現することができる。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１  空気調和装置、２  給気用換気装置、３  屋外給気口、４  空気清浄装置、５  室内吹出口、６  排気用換気装置、７  室内吸込口、８  屋外排気口、９  レンジフードファン、１０  レンジフード用屋外排気口、１１  レンジフード用屋外給気口、１２  制御装置、１３  操作表示端末、１４，１５  温湿度センサ、１６ａ，１６ｂ，１６ｃ，１６ｄ，１６ｅ，１６ｆ，１６ｇ  ダクト、１７  ドア、１９  処理回路、１９ａ  論理回路、１９ｂ  プログラム、５０  空気調和換気システム、１２１  連携制御部、１２２  エンタルピー算出部、１２３  気象情報取得部、１２９  通信部、１９１  演算装置、１９２  ランダムアクセスメモリ、１９３  記憶装置。
【図１】
2019002653.tif 000003
【図２】
2019002653.tif 000004
【図３】
2019002653.tif 000005
【図４】
2019002653.tif 000006
【図５】
2019002653.tif 000007
【図６】
2019002653.tif 000008
【図７】
2019002653.tif 000009
【図８】
2019002653.tif 000010